(57)【要約】【解決手段】一対の鋏片１，２を回動支持部３で互いに交差して開閉動可能に支持し、両鋏片１，２には回動支持部３より先端側に刃部４，５を設けるとともに回動支持部３より基端側に柄部６，７を設けている。両柄部６，７の長手方向両側に設けた可動止め部１１，１２間で指掛部材１３を連結している。両可動止め部１１，１２を柄部６，７に対し柄部６，７の長手方向へ互いに独立して移動可能に支持して、両可動止め部１１，１２の位置及び間隔とを調節し得る。指掛部材１３は両可動止め部１１，１２の位置及び間隔に応じて両可動止め部１１，１２間で指掛部材１３の形態を変更し得るように可撓性を有している。【効果】使用者の手の大きさや指の長さなどの身体的条件に応じて、両可動止め部１１，１２の位置及び間隔を調節するとともに、指掛部材１３の可撓性により指掛部材１３の形態を変更することができる。従って、鋏の使い勝手を良くすることができる。【選択図】図１
2013085761.tif 000002
【特許請求の範囲】
【請求項１】
一対の鋏片を回動支持部で互いに交差して開閉動可能に支持し、その両鋏片には回動支持部より先端側に刃部を設けるとともに回動支持部より基端側に柄部を設けた鋏において、その両柄部のうち少なくとも一方の柄部の長手方向両側に設けた可動止め部間で指掛部材を連結し、この両可動止め部を柄部に対し柄部の長手方向へ互いに独立して移動可能に支持して、それぞれの可動止め部の位置と両可動止め部の間隔とを調節し得るとともに、この指掛部材は両可動止め部の位置及び間隔に応じて両可動止め部間で指掛部材の形態を変更し得るように可撓性を有していることを特徴とする鋏。
【請求項２】
前記両可動止め部を柄部に対し移動させた際に、前記指掛部材が両可動止め部に対し回動し得るように支持されていることを特徴とする請求項１に記載の鋏。
【請求項３】
前記両刃部の幅方向両側にそれぞれ刃縁を設け、また、前記指掛部材を両柄部の外側で両柄部の幅方向へ移動させて両柄部の幅方向両側にそれぞれ突出可能としたことを特徴とする請求項１または請求項２に記載の鋏。
【発明の詳細な説明】
【技術分野】
【０００１】
本発明は柄部の指掛部材を改良した鋏に関するものである。
【背景技術】
【０００２】
従来、下記の特許文献１で開示された鋏においては、両柄部の指掛部材の全体がそれぞれ柄部の長手方向へ移動可能に支持されている。
【先行技術文献】
【特許文献】
【０００３】
【特許文献１】実用新案登録第３１５３２１５号公報
【発明の概要】
【発明が解決しようとする課題】
【０００４】
上記の特許文献１で開示された鋏においては、指掛部材の全体の形態を維持したまま、柄部に対する指掛部材の全体の位置を変更することができるため、使用者の手の大きさや指の長さなどの身体的条件に応じてその位置を変更して鋏の使い勝手を良くすることはできる。
【０００５】
本発明は、指掛部材を改良して、使用者の身体的条件に応じた鋏の使い勝手をより一層良くすることを目的としている。
【課題を解決するための手段】
【０００６】
後記実施形態の図面（図１〜４）の符号を援用して本発明を説明する。
請求項１の発明にかかる鋏においては、一対の鋏片（１，２）を回動支持部（３）で互いに交差して開閉動可能に支持し、その両鋏片（１，２）には回動支持部（３）より先端側に刃部（４，５）を設けるとともに回動支持部（３）より基端側に柄部（６，７）を設けている。その両柄部（６，７）のうち少なくとも一方の柄部（６，７）の長手方向両側に設けた可動止め部（１１，１２）間で指掛部材（１３）を連結している。この両可動止め部（１１，１２）を柄部（６，７）に対し柄部（６，７）の長手方向へ互いに独立して移動可能に支持して、それぞれの可動止め部（１１，１２）の位置と両可動止め部（１１，１２）の間隔とを調節し得る。この指掛部材（１３）は両可動止め部（１１，１２）の位置及び間隔に応じて両可動止め部（１１，１２）間で指掛部材（１３）の形態を変更し得るように可撓性を有している。
【０００７】
請求項１の発明では、使用者の手の大きさや指の長さなどの身体的条件に応じて、可動止め部（１１，１２）の位置や両可動止め部（１１，１２）の間隔を調節するとともに、指掛部材（１３）の可撓性により指掛部材（１３）の形態を変更することができる。従って、使用者の手の大きさや指の長さなどの身体的条件に応じた鋏の使い勝手を良くすることができる。
【０００８】
請求項１の発明を前提とする請求項２の発明においては、前記両可動止め部（１１，１２）を柄部（６，７）に対し移動させた際に、前記指掛部材（１３）が両可動止め部（１１，１２）に対し回動し得るように支持されている。請求項２の発明では、可動止め部（１１，１２）の位置や両可動止め部（１１，１２）の間隔の調節に伴い、指掛部材（１３）が可動止め部（１１，１２）に対し回動して、指掛部材（１３）の形態を容易に変更することができる。
【０００９】
請求項１または請求項２の発明を前提とする請求項３の発明においては、前記両刃部（４，５）の幅方向両側にそれぞれ刃縁（４ａ，４ｂ，５ａ，５ｂ）を設け、また、前記指掛部材（１３）を両柄部（６，７）の外側で両柄部（６，７）の幅方向へ移動させて両柄部（６，７）の幅方向両側にそれぞれ突出可能とした。請求項３の発明では、指掛部材（１３）を右利き用と左利き用とに兼用するとともに、指掛部材（１３）を両柄部（６，７）の外側で両柄部（６，７）の幅方向へ移動可能にしたので、左右両利き用鋏において柄部（６，７）に対する指掛部材（１３）の取付構造を簡単にすることができる。従って、使用者の手の大きさや指の長さなどの身体的条件に応じた左右両利き用鋏の使い勝手を良くすることができる。
【００１０】
請求項３の発明を前提とする第４の発明においては、前記両刃部（４，５）の幅方向両側に設けた刃縁（４ａ，４ｂ，５ａ，５ｂ）のうち、一方の刃縁（４ａ，５ａ）が両鋏片（１，２）の開動時に相対向し得る右利き状態で、両柄部（６，７）の幅方向両側のうち一方の刃縁（４ａ，５ａ）から連続する側へ前記指掛部材（１３）が突出し、他方の刃縁（４ｂ，５ｂ）が両鋏片（１，２）の開動時に相対向し得る左利き状態で、両柄部（６，７）の幅方向両側のうち他方の刃縁（４ｂ，５ｂ）から連続する側へ前記指掛部材（１３）が突出する。第４の発明では、右利き用鋏または左利き用鋏として使用することができる。
【００１１】
第４の発明を前提とする第５の発明において、前記指掛部材（１３）は両柄部（６，７）の幅方向へ移動させて反転させ得るとともに両可動止め部（１１，１２）間で形態を維持し得る可撓性を有している。第５の発明では、その可撓性を利用して指掛部材（１３）を右利き用鋏としての使用状態と左利き用鋏としての使用状態とに容易に切り替えることができるとともに、それらの使用状態で指掛部材（１３）の形態を維持することができる。
【発明の効果】
【００１２】
本発明は、前記特許文献１で開示された鋏と比較して、使用者の手の大きさや指の長さなどの身体的条件に応じた鋏の使い勝手をより一層良くすることができる。
【図面の簡単な説明】
【００１３】
【図１】（ａ）（ｂ）（ｃ）は右利き用鋏としての使用状態を示す正面図である。
【図２】（ａ）（ｂ）（ｃ）は左利き用鋏としての使用状態を示す正面図である。
【図３】（ａ）（ｂ）（ｃ）は左右両利き用鋏において指掛部材の退避状態を示す正面図である。
【図４】（ａ）は図３（ａ）のＡ−Ａ線拡大断面図であり、（ｂ）は図３（ａ）のＢ−Ｂ線拡大断面図である。
【発明を実施するための形態】
【００１４】
以下、本発明の一実施形態にかかる鋏について図面を参照して説明する。
図１に示す右利き用鋏としての使用状態と、図２に示す左利き用鋏としての使用状態と、図３に示す指掛部材の退避状態とで、いずれも、一対の鋏片１，２は回動支持部３で互いに交差されて開閉動可能に支持され、両鋏片１，２には回動支持部３より先端側に刃部４，５が設けられているとともに回動支持部３より基端側に柄部６，７が設けられている。両刃部４，５の幅方向の両側にはそれぞれ刃縁４ａ，４ｂ，５ａ，５ｂが設けられている。両柄部６，７では、刃部４，５から延びる支持部８にプラスチック製の把持部９が取着されている。
【００１５】
両柄部６，７の把持部９には長手方向へ延びる案内孔１０が設けられている。案内孔１０の長手方向の両端部のうち、回動支持部３に対し遠い端部側と近い端部側とでそれぞれ、両柄部６，７には図４（ａ）に示す可動止め部１１と図４（ｂ）に示す可動止め部１２が案内孔１０に挿嵌されて長手方向へ移動可能に支持されている。両可動止め部１１，１２間には両柄部６，７の外側で指掛部材１３が連結されている。可動止め部１１，１２においては、案内孔１０に挿嵌されて互いに螺合されたボルト１４ａとナット１４ｂとで回動筒１５が回動可能に挟持され、指掛部材１３の可動端部１３ａが回動筒１５に巻き掛けられている。指掛部材１３は、可撓性を有し、例えばコイル部材により形成されている。
【００１６】
両刃部４，５及び両柄部６，７は、図３（ａ）に示すように、一枚の板のように互いに重ね合わせて閉じることができ、図３（ｂ）に示す右利き状態と図３（ｃ）に示す左利き状態とに互いに開くことができる。両可動止め部１１，１２を案内孔１０に沿って互いに最離間させるように移動させるとともにボルト１４ａ及びナット１４ｂを締め付けて位置決めした状態では、指掛部材１３が両柄部６，７の外側において両可動端部１３ａ間で棒状に引き延ばされる。
【００１７】
図３（ｂ）の状態から両可動止め部１１，１２を案内孔１０に沿うように移動させて互いに接近させるとともに、両柄部６，７の幅方向の両側のうち一方の刃縁４ａ，５ａから連続する側へ指掛部材１３を突出させた後に、ボルト１４ａ及びナット１４ｂを締め付けて位置決めすると、図１に示すように一方の刃縁４ａ，５ａが両鋏片１，２の開動時に相対向し得る右利き状態となる。また、図３（ｃ）の状態から両可動止め部１１，１２を案内孔１０に沿うように移動させて互いに接近させるとともに、両柄部６，７の幅方向の両側のうち他方の刃縁４ｂ，５ｂから連続する側へ指掛部材１３を突出させた後に、ボルト１４ａ及びナット１４ｂを締め付けて位置決めすると、図２に示すように他方の刃縁４ｂ，５ｂが両鋏片１，２の開動時に相対向し得る左利き状態となる。指掛部材１３は両柄部６，７の幅方向へ移動させて反転させ得るとともに両可動止め部１１，１２間で形態を維持し得る可撓性を有し、指掛部材１３を両柄部６，７の幅方向へ移動させて反転させると、図１に示す右利き状態と図２に示す左利き状態とのいずれかに変更することができる。
【００１８】
鋏の右利き状態または左利き状態で、両可動止め部１１，１２を共にまたはそれらの一方のみを案内孔１０に沿って移動させると、例えば図１及び図２の実線または想像線に示すように、可動止め部１１，１２の位置や両可動止め部１１，１２の間隔を調節することができる。指掛部材１３はその位置及び間隔に応じて形態が変更されるように可撓性を有している。
【００１９】
本実施形態は下記の効果を有する。
（１）  可動止め部１１，１２の位置や両可動止め部１１，１２の間隔を使用者の手の大きさや指の長さなどの身体的条件に応じて調節可能にしたので、可撓性を有する指掛部材１３の形態を使用者の身体的条件に応じて容易に変更して使い勝手を良くすることができる。
【００２０】
例えば、回動支持部３に対する指掛部材１３の距離が小さいほど、両柄部６，７について小さい開閉動距離で両刃部４，５を開閉動させることができるので、手のサイズが小さい子供などにとって使い易くなる。また、回動支持部３に対する指掛部材１３の距離が大きいほど、両柄部６，７について大きい開閉動距離で両刃部４，５を開閉動させることができるので、手のサイズが大きい大人などにとって使い易くなる。すなわち、回動支持部３に対する指掛部材１３の距離を手のサイズに応じて最も使い易い最適な距離に左右の手ごとに設定すれば、使い勝手を良くすることができる。
【００２１】
さらに、回動支持部３に対する指掛部材１３の距離が小さいほど、両柄部６，７について大きい開閉動力で両刃部４，５を開閉動させることができ、回動支持部３に対する指掛部材１３の距離が大きいほど、両柄部６，７について小さい開閉動力で両刃部４，５を開閉動させることができるので、回動支持部３に対する指掛部材１３の距離を、両柄部６，７について最も使い易い開閉動力を得ることができる距離に左右の手ごとに設定すれば、使い勝手を良くすることができる。
【００２２】
（２）  可動止め部１１，１２の位置や両可動止め部１１，１２の間隔の調節に伴い、可動止め部１１，１２を柄部６，７に対し移動させた際に、指掛部材１３が可動止め部１１，１２に対し回動して、指掛部材１３の形態を容易に変更することができる。
【００２３】
（３）  両柄部６，７の長手方向の両側に設けた両可動止め部１１，１２間で連結した指掛部材１３を両柄部６，７の外側で両柄部６，７の幅方向へ移動させて両柄部６，７の幅方向の両側にそれぞれ突出可能としたので、左右両利き用鋏において指掛部材１３を右利き用と左利き用とに兼用することができるとともに、柄部６，７に対する指掛部材１３の取付構造を簡単にすることができる。
【００２４】
（４）  指掛部材１３の可撓性を利用して、指掛部材１３を両柄部６，７の幅方向へ反転させて右利き用鋏としての使用状態と左利き用鋏としての使用状態とに容易に切り替えることができるとともに、それらの使用状態で指掛部材１３の形態を維持することができる。
【００２５】
前記実施形態以外にも例えば下記のように構成してもよい。
・  指掛部材１３としては、コイル部材以外に、ゴム部材などにより形成して可撓性を持たせてもよい。
【００２６】
・  両柄部６，７のうち一方のみで、可動止め部１１，１２の位置や両可動止め部１１，１２の間隔を調節可能にして、指掛部材１３の形態を変更し得るようにしてもよい。
【符号の説明】
【００２７】
１，２…鋏片、３…回動支持部、４，５…刃部、４ａ，４ｂ，５ａ，５ｂ…刃縁、６，７…柄部、１１，１２…可動止め部、１３…指掛部材。
【図１】
2013085761.tif 000003
【図２】
2013085761.tif 000004
【図３】
2013085761.tif 000005
【図４】
2013085761.tif 000006